(57)【特許請求の範囲】
【請求項１】
チャイルドシートの座部に設置され、挿入されたトングをラッチするラッチ機構を備えたチャイルドシートのバックル装置であって、該トングの挿入口部分にトングが挿入されることにより開放するカバーを設けたチャイルドシートのバックル装置において、
前記カバーは前記トングの挿入と略直交方向にスライド可能なスライドカバーであり、該スライドカバーにはトングの先端からの押圧力によってスライド方向の分力を生じさせるための斜面が設けられていることを特徴とするチャイルドシートのバックル装置。
【請求項２】
請求項１において、トングは平板状であり、その先端には幅方向の両端に前記挿入方向に突出する突部が設けられており、前記斜面は前記スライドカバーの両端部にのみ設けられていることを特徴とするチャイルドシートのバックル装置。
【請求項３】
請求項１又は２のチャイルドシートのバックル装置が座部に設けられたチャイルドシート。
【発明の詳細な説明】
【０００１】
【発明の属する技術分野】
本発明はチャイルドシートのバックル装置及びチャイルドシートに係り、特にチャイルドシートの座部に設けられるバックル装置及びかかるバックル装置を備えたチャイルドシートに関するものである。
【０００２】
【従来の技術】
座部にバックル装置を設けたチャイルドシートにあっては胯間部材のトングがこのバックル装置に挿入されてラッチされる。図4はこのようなバックル装置の従来の一例（米国特許第４，６３２，４６０号）を示す斜視図であり、チャイルドシート１の座部２の前部にバックル装置が内蔵され、バックル装置のトング挿入口３が座部に臨んでいる。胯間部材４の先端のトング５がこの挿入口３に挿入されラッチされる。チャイルドシート１の前面部のプレスボタン６を押すことによりこのラッチが解除される。
【０００３】
なお、図4では、胯間部材4としてサドル形状のブロックが用いられているが、胯間部材4としてウェビングを用い、このウェビングの先端にトングを装着することもある。
【０００４】
【発明が解決しようとする課題】
上記のように従来のチャイルドシートのバックル装置は、そのトング挿入口が座部に面しているため、食物のカスや砂粒などの異物がバックル装置内に入り、バックル装置を故障させることがある。
【０００５】
本発明は、このような異物の侵入が防止されたチャイルドシートのバックル装置及びかかるバックル装置を備えたチャイルドシートを提供することを目的とする。
【０００６】
【課題を解決するための手段】
本発明のチャイルドシートのバックル装置及びかかるバックル装置が座部に設けられたチャイルドシートは、チャイルドシートの座部に設置され、挿入されたトングをラッチするラッチ機構を備えたチャイルドシートのバックル装置であって、該トングの挿入口部分にトングが挿入されることにより開放するカバーを設けたチャイルドシートのバックル装置において、前記カバーは前記トングの挿入と略直交方向にスライド可能なスライドカバーであり、該スライドカバーにはトングの先端からの押圧力によってスライド方向の分力を生じさせるための斜面が設けられていることを特徴とするものである。
【０００７】
かかるバックル装置及びチャイルドシートにあってはカバーによりトング挿入口が閉鎖されており、異物の侵入が防止される。
【０００８】
このカバーは、トングの挿入と略直交方向にスライド可能なスライドカバーであり、該スライドカバーにはトングの先端からの押圧力によってスライド方向の分力を生じさせるための斜面が設けられている。このトングは平板状であり、その先端には幅方向の両端に前記挿入方向に突出する突部が設けられており、前記斜面は前記スライドカバーの両端部にのみ設けられているものであっても良い。
【０００９】
【発明の実施の形態】
以下、図１〜３を参照して本発明の実施の形態について説明する。
【００１０】
図１は実施の形態に係るバックル装置の分解斜視図、図２は実施の形態に係るバックル装置の縦断面図、図３は図１のIII−III線に沿うベースホルダとスライドカバーとの断面図である。
【００１１】
チャイルドシートの座部１０にトング挿入口１２及びプレスボタン操作口１４が設けられ、このトング挿入口１２の下側にトング４０をラッチするためのバックル装置１６が設置されている。トング４０にはラッチ孔４２と、ウェビング４４の挿通孔４６とが設けられている。また、トング４０の先端には１対の突部４８が設けられている。
【００１２】
このバックル装置１６は、ベースホルダ２０と、このベースホルダ２０に前後方向にスライド自在に保持されたスライドカバー５０及びラッチスライダ６０と、このベースホルダ２０に被さるリテーナ８０とから主として構成されている。
【００１３】
ベースホルダ２０は、底部がラッチスライダ案内部２２となっており、このラッチスライダ案内部２２の左右からサイド壁２４が立設されている。このサイド壁２４，２４の対向面にはトング４０を案内する縦溝２６が設けられている。
【００１４】
サイド壁２４の上部にはスライドカバー５０を受容する凹部２８が設けられており、スライドカバー５０はこのサイド壁２４，２４の上部に跨って配置される。この凹部２８に臨むようにしてカバースプリング３０の保持用突起３２が設けられている。
【００１５】
このサイド壁２４には前部ブラケット３４と後部ブラケット３６とが設けられ、これらのブラケット３４，３６にそれぞれビス３８の挿通用の開口３４ａ，３６ａが設けられている。
【００１６】
スライドカバー５０は、その長手方向の両端に斜面５２，５２が設けられている。各斜面５２の裏側に突起５４が設けられており、カバースプリング３０がこの突起５４と前記ベースホルダ２０の突起３２との間に架け渡されている。
【００１７】
ラッチスライダ６０は、前記サイド壁２４，２４間のラッチスライダ案内部２２上にスライド自在に配置されている。このラッチスライダ６０の前端及び後端からそれぞれ起立部６２，６８が立ち上げられている。前側の起立部６２は前方に延出し、その前端にプレスボタン６４が設けられている。この起立部６２にはラッチスライダ６０を前方に付勢するラッチスプリング７０の係止用突起６６が設けられている。後側の起立部６８にはトング１８のラッチ孔４２と係合するフック７２が設けられている。このフック７２の上面は前方に向って下り勾配の斜面となっている。
【００１８】
リテーナ８０は、１対のサイド部８２，８２と、これらサイド部８２，８２同士を結ぶ上面部８８とを有した逆Ｕ字形状のものである。このリテーナ８０は、サイド部８２，８２を前記ベースホルダ２０のサイド壁２４，２４の内側に沿わせるように該ベースホルダ２０に嵌合される。このリテーナ８０には、ブラケット８４，８６がベースホルダ２０のブラケット３４，３６に重なるように設けられている。８４ａ，８６ａは８４，８６に設けられたビス挿通用の開口を示す。このリテーナ８０には、トング１８が挿通されるスロット９０が設けられている。このスロット９０は前記ベースホルダ２０の縦溝２６，２６と重なるように配置される。
【００１９】
このリテーナ８０からは前方へＬ字形の延出片９２が延設されており、この延出片９２の前面に突起９４が設けられている。前記ラッチスプリング７０はこの突起９４と前記ラッチスライダ６０の突起６６との間に架け渡される。このリテーナ８０のサイド部８２，８２の下部同士の間にラッチスライダ６０を押えるバー９６が架設されている。
【００２０】
重ね合わされたブラケット３４，８４及びブラケット３６，８６の開口にビス３８を通し、このビスをチャイルドシート座部１０のボス部（図示略）にねじ込むことにより、このバックル装置１６が座部１０に固定される。
【００２１】
このように構成されたバックル装置１６は、トング４０を挿入しない状態にあってはカバースプリング３０によって付勢されたスライドカバー５０が前進し、トング挿入口が閉鎖されている。このため、トング挿入口から異物がバックル装置１６内に入り込むことが無い。
【００２２】
このバックル装置１６に対しトング４０がトング挿入口１２から挿入される。このトング４０は板状であり、その先端の幅方向の両端に前記突部４８が設けられている。従って、トング４０をバックル装置１６内に挿入すると、まずこの突部４８がスライドカバー５０の斜面５２に当り、スライドカバー５０が後退し、トング４０がバックル装置１８内に挿入される。このトング４０の先端（下端）がフック７２の上側の斜面に当り、ラッチスライダ６０が後退し、フック７２とラッチ孔４２とが係合してトング４０がラッチされる。この場合、ラッチスライダ６０がラッチスプリング７０に付勢されて前進し、フック７２がラッチ孔４２に入り込むことにより、トング４０のラッチが完了する。
【００２３】
ラッチを解除するには、プレスボタン６４を押し、ラッチスライダ６０を後退させ、トング４０を引き抜けば良い。トング４０が引き抜かれると、スプリング３０に付勢されたスライドカバー５０が前進し、再びトング挿入口が閉鎖され、異物の侵入が防止される。
【００２４】
このスライドカバー５０は、斜面５２が端部にのみ設けられているので、上方からコインなどが差し込まれてもコイン等は斜面５２には当らないのでスライドカバー５０はスライドせず、バックル装置１６内にコイン等が差し込まれることもない。
【００２５】
【発明の効果】
以上の通り、本発明のバックル装置は、トング挿入口がトングを挿入しない限り閉鎖されているので、異物がバックル装置内に侵入することが無い。
【図面の簡単な説明】
【図１】  本発明の実施の形態に係るバックル装置の分解斜視図である。
【図２】  本発明の実施の形態に係るバックル装置の縦断面図である。
【図３】  図１のIII−III線に沿うベースホルダとスライドカバーとの断面図である。
【図４】  従来のバックル装置を備えたチャイルドシートの座部の斜視図である。
【符号の説明】
１０  チャイルドシート座部
１２  トング挿入口
１６  バックル装置
２０  ベースホルダ
３０  カバースプリング
４０  トング
４２  ラッチ孔
４８  突部
５０  スライドカバー
５２  斜面
６０  ラッチスライダ
６４  プレスボタン
７０  ラッチスプリング
７２  フック
８０  リテーナ
【図１】
0003726507.tif 000002
【図２】
0003726507.tif 000003
【図３】
0003726507.tif 000004
【図４】
0003726507.tif 000005